(57)【要約】      （修正有）【課題】  プレスブレーキ用金型ホルダー装置であって、長手方向に保持溝を持つ上金型が金型ホルダー装置から２ｍｍ程落下することを防ぐと共に、長手方向に保持溝を持たない上金型も装着でき、かつ上金型の着脱を容易にする。【解決手段】  締金２５，２７に出没自在に備えられた、金型保持面２３ｆ，２３ｒを持つ金型保待部材６１と金型締付面２５ｈ，２７ｈを持ち、金型締付時にホルダー本体２１内に設けられ、ばね等により蓄勢される突起部に蓄勢されるピンを保持し回転するトーションピン２９，３１及びそれに装着され、他端がホルダー本体の穴部に保合するピン等を有する締金を持ち、上金型締付時に上金型を上方向へ移動保持した状態で、上金型をホルダー本体に締付装着する。上記締金を持つことにより、長手方向に保持溝３ｇを持たない上金型３も締付装着できることとする。【選択図】図２
2006326675.tif 000002
【特許請求の範囲】
【請求項１】
プレスブレーキの前面上部にある水平の長い形状の支持部材（上部テーブルとも言う）に対して金型を着脱可能に装着支持する金型ホルダー装置にして、出没自在に備えられた金型保持面をもつ金型保持部材と金型締付面をもつと共に、ホルダー本体内に設けられたばね等により蓄勢される突起部により蓄勢されるピンを保持し、上金型の締付時に回転するトーションピン、及びそれに装着され他端がホルダー本体の穴部に係合するピンを有する締金により、締付時長手方向に保持溝を持つ上金型を上方向に持ち上げることにより、ホルダー本体の金型保持部下面と上金型の負荷面との隙間をなくし、上記上金型をホルダー本体に締め付け装着することのできる上記締金と上記突起部を持つホルダー本体を持つことを特徴とした金型ホルダー装置。
【請求項２】
請求項１で述べた金型ホルダー装置にして、長手方向に保持溝を持たない上金型も金型保持部材が締金に没入することにより締付装着することができる締金を持つ金型ホルダー装置。
【発明の詳細な説明】
【発明の詳細な説明】
【産業上の利用分野】
【０００１】  本発明は、一般にプレスブレーキと称せられる板金材を成形加工する機械において上金型を保持する装置に関する。
【０００２】  周知の通り、板金材の成型加工等を行なうプレスブレーキは、プレスブレーキの上部テーブルに装着される上金型とプレスブレーキの下部テーブル上に装着される下金型とを有して成るものであり、上記上金型の先端と下金型の溝部を噛み合わせることによってワークの加工を行なうものである。
そして、上記プレスブレーキに使用される上金型は、プレスブレーキの上部テーブルに取り付けられた金型ホルダー装置に取り付けられる。しかし、箱状の製品を作る場合においては、長手方向に保持溝を持ち、かつ長手方向に分割された、複数個の上金型を金型ホルダー装置に取り付けることになるが、この際上記上金型がそれぞれ均等に締め付けられず、幾つかの分割された上金型が、上金型の保持溝の上面が金型ホルダー装置の締金に設けられたストッパー部に当たるまで約１〜２ｍｍ下降したりすることも有り、作業性も悪く危険であった。
さらに、落下の危険はあるものの、長手方向に保持溝を持たない上金型も沢山使用されており、これらの上金型を同一の金型ホルダー装置に装着することはできなかった為、長手方向に保持溝を持つ上金型用の金型ホルダー装置を持つ機械には、長手方向に保持溝を持つ上金型を、長手方向に保持溝を持たない上金型用の金型ホルダー装置を持つ機械には、長手方向に保持溝を持たない上金型をそれぞれ準備するというように、同じ使用目的でありながらそれぞれ専用の金型を準備する必要があり、これらは旧来からの機械や複数台のプレスブレーキに使用するユーザーにとっては互換性のなさから金型の管理が複雑であったり、上金型への２重投資でもあった。
【発明が解決しようとする課題】
【０００３】  上記従来技術による長手方向に保持溝を持つ上金型の落下を防ぎ装着すると共に（長手方向に分割された上金型も、分割されない上金型も）、長手方向に保持溝を持たない上金型も装着可能とし、作業の安全性を高め金型ホルダー装置の機能向上を図ることにある。
【発明の目的】
【０００４】  上記の如き、従来技術の有する問題点を解決するものであって、長手方向に保持溝を持つ上金型が落下せず装着され（長手方向に分割された上金型も、されない上金型も）、かつ長手方向に保持溝を持たない上金型も装着できるプレスブレーキ用金型ホルダー装置を提供することにある。
【課題を解決するための手段】
【０００５】  上記目的を達成する為に、本発明は次の技術的手段を有する。長手方向に保持溝をもつ上金型の上記保持溝上部の面に接し、正面から見て前後に移動可能な金型保持面を持つ金型保持部材を持ち、締付ボルト等による締付力を金型の締付面に伝える金型締付面を持つと共に、締付時にホルダー本体内に設けられ、バネ等により蓄勢される突起部により蓄勢されるピンを保持し回転するトーションピン、及びそれに装着され、先端がホルダー本体の穴部に係合するピン等を有する締金と上記の如く、ばね等により蓄勢される突起部をホルダー本体内に設けた金型ホルダー装置である。
【作用】
【０００６】  上記締金を持つ金型ホルダー装置に、長手方向に保持溝を持つ上金型を入れるときは、レンチレバーを反時計方向に廻し、上記金型の保持溝上部の面を金型保持部材の金型保持面に載せ横から入れるか、上記金型を金型保持部材とホルダー本体との間に下方から入れ、上記金型の保持溝上部の面を金型保持部材の金型保持面に載せる。この状態でレンチレバーを時計方向に廻し締付ボルトを締め付けると、締付上部に設けられたトーションピンに装着されたピンがホルダー本体内に設けられたばね等で蓄勢される突起部に当たり、トーションピンは回転する。トーションピンの両端部にはピンがそれぞれ設けられ、ピンの他端はホルダー本体に設けられた穴部に係合している為、上記金型を上方向に持ち上げた状態で締め付けることになり、締付前にあった締金の締付面と上記金型の締付面の隙間、及びホルダー本体の下面と上記金型の負荷面との隙間もなくなった状態で上記金型は締付保持され、落下はしない。
長手方向に保持溝を持たない上金型も同様に横又は下方から金型ホルダー装置に入れることができ、金型締付時には、金型保持部材は締金本体に設けられた溝部の中に移動し、上記上金型は装着される。
【実施例】
【０００７】  理解を容易にする為に、添付図面に使用した符号を用いて全体構成について説明する。【０００８】  図面を参照するに、本実施例の係るプレスブレーキ用金型ホルダー装置は、全体的に数字１で示してあり、板金材を成形加工するプレスブレーキにおいて上金型３を保持するものであり、プレスブレーキの前面上部にある水平の長い形状の支持部材５（上部テーブルとも言う）に、公知の方法により、懸垂する状態にて装着される。なお、説明の進行によって理解されるとおり、第１図、第２図、第３図、第４図および第６図においては、上金型３は、厳密に言えば、金型ホルダー装置１によって保持されるべき位置にあるが、未だ最終的に保持されない状態として示されている。【０００９】  特に第１図および第２図において、金型ホルダー装置１は、複数個のボルト７とスプリングピン９によって矩形の板１１に固定されており、その矩形の板１１がボルト１３によってプレスブレーキの支持部材５に取り付けられている。また、公知の技術として、楔１５が、金型ホルダー装置１の上方部にプレスブレーキの支持部材５の下面に接する状態で、板１１にボルト１７により座金１９を介して固定されている。因に、第３図に示すとおり、ボルト１７が通る板１１の穴の開口部で座金１９がある部分は、楔１５の水平に移動により、板１１が上下に動けるように形成されている。なお、図示を省略するが、周知のとおり、プレスブレーキの支持部材５の直下には、一般にテーブルと称する支持部材があり、その上に、板金材を成形加工するために上金型３と協働する下金型が装着される。かくて、成形加工されるべき板金材が下金型上に載置され、それを成形加工するために、上金型３を支持する支持部材５と下金型を支持する下方の支持部材のいずれかが他方に対して垂直に駆動される。なお、第１図において、金型ホルダー装置１と上金型３はそれぞれ１個だけ示してあるが、幅の広い板金材を成形加工するためには、複数個の分割された上金型が第１図の左右方向に連結されて用いられ、このために、複数個の金型ホルダー装置１が用いられる。
周知のとおり、上金型３は、上部に装着のためのシャンク部３ｓを有し、板金材の成形加工時の加重を受けるように、そのシャンク部３ｓの根元に、肩状に水平な負荷面３ｆが形成されている。また、上金型３は、周知のとおり、一般に、落下に備える安全対策として、長手方向に断面が矩形の落下防止用の保持溝３ｇが形成されている。ただし、後述のとおり、本発明の金型ホルダー装置１は、上金型３が保持溝３ｇを有すると否とにかかわらず、これを保持することができる。【００１０】  特に第１図、第２図および第３図に明示されるとおり、金型ホルダー装置１は、ホルダー本体２１を有し、これは、プレスブレーキの左右方向に長く上下方向に短く前後方向に薄い直方体状の部材である。ただし、本実施例において、ホルダー本体２１は、第１図にて見られるとおり、上面が傾斜を成し楔１５に接し、ボルト１７を緩め楔１５を水平に動かすことにより、高さを調整できるように構成されている。ホルダー本体２１は、下面に、長い直方体状の金型保持部２３が形成されており、これは、前後に、上金型３を受ける垂直の金型保持面２３ｆおよび２３ｒを有する。なお、上金型３は、図示においてはホルダー本体２１の金型保持部２３の前部金型保持面２３ｆにて保持されるが、成形加工される板金材の寸法や形状等により、前後の金型保持面２３ｆおよび２３ｒのいずれかで保持される。ただし、上金型３は、普通はホルダー本体２１の前部で保持するのが便利であるので、本実施例においては、金型ホルダー２１は、主として、前部金型保持面２３ｆ側で保持するように構成されている。【００１１】  特に第１図、第２図および第３図に明示されるとおり、上金型３をホルダー本体２１の金型保持部２３にて保持するために、その前後に、すなわち第２図および第３図において金型保持部２３の両側に、長方形の板状の締め金２５および２７が金型保持部２３に平行して水平に備えられている。締め金２５および２７は、それぞれ、その下端部に締付部２５ｈおよび２７ｈを有し、それぞれ円柱状のトーションピン２９および３１によって回転可能に水平の状態で保持され、それらの締付部２５ｈおよび２７ｈがそれぞれ金型保持部２３の金型保持面２３ｆと２３ｒに対して上金型３を押し当て保持できるように構成されている。トーションピン２９および３１は、締め金２５および２７を回転自在に貫通し、いずれも、両端が、締め金２５および２７から若干突出し、止め輪３３によって、その中に止められている。締め金２５と２７は、上金型３を金型保持部２３に押し当て保持するために、互いに対称的に配置され、締め付け方法は異なるが、その点を除けば、互いに対称的な構造を成しており、同様に機能する。従って、以下においては、主として、締め金２５についてのみ説明し、また、止め輪３３のように、締め金２５および２７の双方に共通する同じ性質または同じ機能の幾つかの部材については、場合により、同じ符号または番号を用いるものとする。【００１２】  第１図および第３図に示すとおり、締め金２５により上金型３をホルダー本体２１の金型保持部２３の金型保持面２３ｆに押し当て保持するために、ホルダー本体２１において金型保持部２３の上方に水平にねじ穴２１ｔが形成されており、それに締め付けボルト３５が螺合されている。締め付けボルト３５は、座金３７を有し、締め金２５の外側すなわち第３図において左側から締め金２５に開けられた穴２５ｂを通りねじ穴２１ｔに螺合し、締め付けられれば座金３７を介して締め金２５が上金型３をホルダー本体２１の金型保持部２３の金型保持面２３ｆに押し当て保持するように構成さている。なお、後述のとおり、締め金２５は若干上下動する必要があり、このため、締め金２５の穴２５ｂは、締め金２５の上下動を可能にする大きさにて設けられている。実施例においては、締め付けボルト３５を回すために、レンチバー３９が着脱自在に備えられており、このレンチバー３９には、プランジャー４１が付いており締め付けボルト３５からの脱落が防止されている。因みに、締め金２５は、ワンタッチで上金型３を締め付け保持することが望ましく、このためには、レンチバー３９は、遊休時には第１図および第２図などに示すとおり下方に垂下し、第１図に想像線で示すとおり時計方向に約２２５度回転された時に締め金２５が上金型３を締め付け保持するようにするのが適当である。因に、締め金２７の締め付け方法は、後述のとおり、構成としては締め金２５と異なる面もあるが、思想的には大同小異である。【００１３】  第１図、第４図および第５図に示すとおり、締め金２５および２７を保持するトーションピン２９および３１は、その各端部に半径方向に直角にピン４３が止めねじ４５によって固定されおり、そのピン４３の自由端は、ホルダー本体２１の上方部に水平に設けられた穴２１ｂａに移動可能に配置されている。ピン４３はトーションピン２９および３１の各両端にあるが、その２本のピン４３は、トーションピン２９または３１から半径方向に同一角度で設置されている。また、ピン４３とトーションピン２９および３１は、締め金２５と２７が上金型３を締め付け保持しない時は、ピン４３が第４図に示すとおりホルダー本体２１の穴２１ｂａ内にほぼ水平に横たわるように設置される。さらに、ピン４３は、後述のとおり、トーションピン２９または３１が回転し締め金２５または２７と共に上昇する時、穴２１ｂａ内にて水平に滑動するとともに第５図に示すとおり穴２１ｂａ内にて傾斜するように構成される。上記の構成により、トーションピン２９および３１は、ピン４３を介してホルダー本体２１の穴２１ｂａに移動自由に係合しており、後述の目的のために、回転しつつ水平を維持して上下し、締め金２５および２７を上下動させることができる。
第４図および第５図に示すとおり、ホルダー本体２１において、穴２１ｂａの直下には穴２１ｈがあり、これにばね４７が挿入され締め金２５および２７を外側に押圧するように蓄勢されている。これにより、締め金２５および２７とホルダー本体２１の間は、通常開くように蓄勢され、上金型３の着脱を容易にする。【００１４】  第３図に示すとおり、トーションピン２９には、その中央部に、すなわち締め付けボルト３５の真上において、ピン４９が止めねじ５１によって半径方向に直角に垂下するよう固定されており、そのピン４９に押し棒５３が当接し、それを蓄勢する皿ばね５５によって、第３図において時計方向に蓄勢されている。ピン４９は、トーションピン２９の両端のピン４３がホルダー本体２１の穴２１ｂａに水平に横たわる時に半径方向に直角に垂下するよう止めねじ５１によって固定されている。押し棒５３は、ホルダー本体２１に水平に設けられた穴２１ｂａに滑動自在に配置され、その端部は穴２１ｂａの端部に螺合され止めねじ５７によって固定されたばね受け５９によって活動自在に保持される。さらに詳しく記せば、押し棒５３は、ばね受け５９に活動自在に保持される本体部５３ｂ、穴２１ｂａにて滑動するフランジ部５３ｆおよびピン４９を押す直径の小さい押し部５３ｐで成り、他方穴２１ｂａはピン４９への開口部が押し部５３ｐと同じ程の直径にて形成され、皿ばね５５が本体部５３ｂ上でフランジ部５３ｆを介して押し部５３ｐをピン４９に対して蓄勢するように構成される。かくて、トーションピン２９は、締め金２５が上金型３を締め付け保持しない時、その両端のピン４３がホルダー本体２１の穴２１ｂａに水平に横たわるような状態で、皿ばね５５によって押し棒５３を介して弾力的に保持される。上記の構成により、上金型３を保持するために、締め付けボルト３５がレンチバー３９によって回転されれば、締め金２５は、後方に、すなわち第３図において右側に移動し、それに伴い、トーションピン２９は、ピン４９が押し棒５３に当接しているために、第３図において時計方向に回転し、その両端のピン４３により、締め金２５と共に押し上げられる。（第８図参照）【００１５】  特に第１図、第３図および第６図にて見られるとおり、締め金２５および２７は、いずれも、その下端部の締め付け部２５ｈおよび２７ｈに、その全長に亘って水平に長手方向の溝２５ｇおよび２７ｇが形成されており、その溝２５ｇおよび２７ｇに、金型保持部材６１を有する。金型保持部材６１は、締め金２５および２７とほぼ同じ長さの部材であり、水平な金型保持面６１ｈおよび傾斜面６１ｓを有し、締め金２５および２７の溝２５ｇおよび２７ｇに、複数個のねじ６３によって水平に移動可能に保持され、かつ、ばね６４によって上金型３の方向に締め金２５および２７から突出するように蓄勢されている。すなわち、金型保持部材６１は、締め金２５および２７の締め付け部２５ｈおよび２７ｈに形成された溝２５ｇおよび２７ｇに、出没自在に備えられている。金型保持部材６１は、上金型３に保持溝３ｇがある場合に、上金型３を保持溝３ｇによって保持するものものであり、上金型３の万一の落下に備えるとともに、上金型３を締め金２５または２７により最終的��締め付け保持する前に仮に保持するものである。このために、金型保持部材６１は、第２図および第３図に示すとおり、保持溝３ｇのある金型３が締め金２５または２７とホルダー本体２１の金型保持部２３との間に締め付け保持されるべき位置にある時、上金型３の保持溝３ｇ内に位置し、その金型保持面６１ｈが保持溝３ｇの上部面により上金型３を保持できるように構成される。なお、金型保持部材６１の金型保持面６１ｈは、上金型３の保持溝３ｇの上部の面に当接し上金型３を保持するものであり、また、金型保持部材６１の傾斜面６１ｓは、カムの働きをなし、例えば上金型３が装着時に当接すれば、金型保持部材６１はばね６４に抗して締め金２５または２７内に没入する。上記の構成により、上金型３を保持するために、締め付けボルト３５がレンチバー３９によって回転されれば、締め金２５は、第３図において右側に移動しつつ、トーションピン２９の第３図における時計方向への回転により、その両端のピン４３によって押し上げられる。この様にして締め金２５が押し上げられる結果、上金型３は、その保持溝３ｇに係合する金型保持部材６１によって，その負荷面３ｆがホルダー本体２１の金型保持部２３の下面に完全に当接まで持ち上げられる。因に、上金型３に保持溝３ｇがない場合、それを第２図の２点鎖線で示すように、締金２５と金型保持面２３ｆの間に下方から入れることができ、レンチレバー３９によって締め付ければ、第９図に示す様に金型保持部材６１は、ばね６４に抗して締め金２５または２７内に没入する。なお、後述のとおり、締め金２５および２７は、締め付け方法など異なる点があるが、金型保持部材６１は同様に構成される。【００１６】  第１図および第６図に参照するに、上金型３をホルダー本体２１の金型保持部２３の後方すなわち第６図において右側にて装着するために、ホルダー本体２１の下部に、締め金２７を締め付けるための締め付けボルト６５が備えられている。本実施例においては、締め付けボルト６５は、第１図に示すとおり、ホルダー本体２１の左右２箇所に、それぞれ同じ高さにて設置され、ホルダー本体２１に水平に形成された穴を貫通し、座金６７を通り、締め金２７にスプリングピン６９によって係止されたナット７１に螺合している。かくて、締め付けボルト６５を回せば、座金６７を介して締め金２７を引き寄せ、それをして上金型３をホルダー本体２１の金型保持部２３に押し付け締め付け保持する。【００１７】  第７図に参照するに、トーションピン２９および締め金２５の場合と同様に、トーションピン３１を回転させ締め金２７を持ち上げるために、トーションピン３１に、ピン７３が止めねじ７５により固定されている。ピン７３には押し棒７７が当接し、この押し棒７７は皿ばね７９によって蓄勢され、また皿ばね７９を受けるとともに押し棒７７の端部を保持するために、ばね受け８１が止めねじ８３によって固定されている。かくて、上金型３を締付保持するために、締め付けボルト６５が回転されれば（第６図参照）、締め金２７は、前方に、すなわち第７図において左側に移動し、それに伴い、トーションピン３１は、ピン７３によって第７図において反時計方向に回転し、その両端のピン４３により締め金２���と共に押し上げられ、上金型３は締付保持される。
【発明の効果】
【００１８】  以上の如き実施例の説明により理解されるように、この発明によれば特許請求の範囲で記載された通り、正面から見て前後に出没自在な金型保持面を持つ金型保持部材と金型締付面を持ち、金型締付時にホルダー本体内に設けらればね等によって蓄勢された突起部により回転するトーションピン及びそれに装着され他端がホルダー本体に設けられた穴部に係合するピンを有する締金により、長手方向に保持溝を持った上金型を、上金型の負荷面とホルダー本体の下面との隙間をなくした状態で、ホルダー本体に締付装着できる。よって長手方向に保持溝をもつ上金型（長手方向に分割された上金型も含む）の落下を防止することができる。
また、上記金型保持部材の前後方向への移動により、長手方向に保持溝を持たない上金型も同一締金で締付装着できるようになった。
【図面の簡単な説明】
【図１】  プレスブレーキに装着された本発明の金型ホルダーを示す正面図である。
【図２】  本発明の金型ホルダーの側面図である。
【図３】  第１図におけるＩＩＩ−ＩＩＩ線における断面図であり、部分的に省略してある。
【図４】  第１図のＩＶ−ＩＶ線における断面図であり、主要部のみを示す。
【図５】  第４図と同じ平面（第１図のＩＶ−ＩＶ線）における断面図であり、主要部のみを示す。
【図６】  第１図のＶＩ−ＶＩ線における断面図であり、主要部のみを示す。
【図７】  第１図のＶＩＩ−ＶＩＩ線における断面図であり、主要部のみを示す。
【図８】  第３図と同じ平面（第１図のＩＩＩ−ＩＩＩ線）における断面図であり、主要部のみを示す。
【図９】  第３図と同じ平面（第１図のＩＩＩ−ＩＩＩ線）における断面図であり、主要部のみを示す。
【符号の説明】
１        金型ホルダー装置
３        上金型
３ｇ      保持溝
３ｆ      負荷面
５        支持部材
７        ボルト
９        スプリングピン
１１      板
１３      ボルト
１５      楔
１７      ボルト
１９      座金
２１      ホルダー本体
２１ｔ    ねじ穴
２１ｂａ  穴
２１ｈ    穴
２３      金型保持部
２３ｆ    金型保持面
２３ｒ    金型保持面
２５      締め金
２５ｈ    締め付け面
２５ｂ    穴
２５ｇ    溝
２７      締め金
２７ｈ    締め付け面
２７ｇ    溝
２９      トーションピン
３１      トーションピン
３３      止め輪
３５      締め付けボルト
３７      座金
３９      レンチバー
４１      プランジャー
４３      ピン
４５      止めねじ
４７      ばね
４９      ピン
５１      止めねじ
５３      押し棒
５３ｂ    本体部
５３ｆ    フランジ部
５３ｐ    押し部
５５      皿ばね
５７      止めねじ
５９      ばね受け
６１      金型保持部材
６１ｈ    金型保持面
６１ｓ    傾斜面
６３      ねじ
６４      ばね
６５      締め付けボルト
６７      座金
６９      スプリングピン
７１      ナット
７３      ピン
７５      止めねじ
７７      押し棒
７９      皿ばね
８１      ばね受け
８３      止めねじ
【図１】
2006326675.tif 000003
【図２】
2006326675.tif 000004
【図３】
2006326675.tif 000005
【図４】
2006326675.tif 000006
【図５】
2006326675.tif 000007
【図６】
2006326675.tif 000008
【図７】
2006326675.tif 000009
【図８】
2006326675.tif 000010
【図９】
2006326675.tif 000011
【手続補正書】
【提出日】平成17年8月26日(2005.8.26)
【手続補正１】
【補正対象書類名】明細書
【補正対象項目名】００１２
【補正方法】変更
【補正の内容】
【００１２】  第１図および第３図に示すとおり、締め金２５により上金型３をホルダー本体２１の金型保持部２３の金型保持面２３ｆに押し当て保持するために、ホルダー本体２１において金型保持部２３の上方に水平にねじ穴２１ｔが形成されており、それに締め付けボルト３５が螺合されている。締め付けボルト３５は、座金３７を有し、締め金２５の外側すなわち第３図において左側から締め金２５に開けられた穴２５ｂを通りねじ穴２１ｔに螺合し、締め付けられれば座金３７を介して締め金２５が上金型３をホルダー本体２１の金型保持部２３の金型保持面２３ｆに押し当て保持するように構成さている。なお、後述のとおり、締め金２５は若干上下動する必要があり、このため、締め金２５の穴２５ｂは、締め金２５の上下動を可能にする大きさにて設けられている。実施例においては、締め付けボルト３５を回すために、レンチバー３９が着脱自在に備えられており、このレンチバー３９には、プランジャー４１が付いており締め付けボルト３５からの脱落が防止されている。因みに、締め金２５は、ワンタッチで上金型３を締め付け保持することが望ましく、このためには、レンチバー３９は、遊休時には第１図および第２図などに示すとおり下方に垂下し、第１図に想像線で示すとおり時計方向に約２２５度回転された時に締め金２５が上金型３を締め付け保持するようにするのが適当である。その為、組立時座金３７の厚さは調整され組み付けられる。因に、締め金２７の締め付け方法は、後述のとおり、構成としては締め金２５と異なる面もあるが、思想的には大同小異である。
【手続補正書】
【提出日】平成17年8月26日(2005.8.26)
【手続補正１】
【補正対象書類名】特許請求の範囲
【補正対象項目名】全文
【補正方法】変更
【補正の内容】
【特許請求の範囲】
【請求項１】
プレスブレーキの前面上部にある水平の長い形状の支持部材（上部テーブルとも言う）に対して金型を着脱可能に装着支持する金型ホルダー装置にして、金型保持面をもつ金型保持部材と金型締付面をもつと共に、ホルダー本体内に設けられたばね等により蓄勢される突起部により蓄勢されるピンを保持し、上金型の締付時に回転するトーションピン、及びそれに装着され他端がホルダー本体の穴部に係合するピンを有する締金により、締付時長手方向に保持溝を持つ上金型を上方向に持ち上げることにより、ホルダー本体の金型保持部下面と上金型の負荷面との隙間をなくし、上記上金型をホルダー本体に締め付け装着することのできる上記締金と上記突起部を持つホルダー本体を持つことを特徴とした金型ホルダー装置。
【請求項２】
請求項１で述べた金型ホルダー装置にして、長手方向に保持溝を持たない上金型も金型保持部材が締金に没入することにより締付装着することができる締金を持つ金型ホルダー装置。
【請求項３】
レンチレバーの遊休時の位置及び上金型を締付け保持した時のレンチレバーの位置を決める為に厚さが調整される座金を設けたことを特徴とする金型ホルダー装置。